(57)【要約】本発明は、ベルト、ストラップまたはそれらの均等物などの２つの部材を連結する、第１のクラスプパーツ(1)と第２のクラスプパーツ(2)とを含む留め具（クラスプ）に関する。第１のパーツが底プレート(23)またはその均等物を含み、第２のパーツ(2)がカバープレート(24)および緩衝プレート(11)を介して底プレートを部分的に取り囲むように構成されている。ロック部材(7,8,15,16,26,27,28,29,30,32,33）が固定プレートまたは底プレート上および緩衝プレート上に設けられて、留め具がロック位置にあるときにクラスプパーツを連結する。ロック部材は好ましくは、緩衝プレート上に設けられた１以上のフックを含む。ストラップまたはその均等物を連結する締結具(5)がカバープレートの一側部近傍に設けられ、締結具を介して留め具にかかる力の１成分がカバープレートの面にかかるように方向付けられている。カバープレートの面は、この力が留め具に対して連結効果を有するように方向付けられている。留め具は、留め具のパーツが子供用ハーネスの一体化されたパーツを形成する用途に特に適している。【選択図】図２
2009529950.tif 000002
【特許請求の範囲】
【請求項１】
ベルト、ストラップまたはそれらの均等物などの２つの部材を連結する、第１のクラスプパーツ（１）と第２のクラスプパーツ（２）とを含む留め具であって、
前記第１のパーツが固定プレート（２１）および底プレート（２３）またはこれらの均等物を含み、
前記第２のパーツ（２）が連結位置においてカバープレート（２４）および緩衝プレート（１１）を介して前記固定プレート（２１）を部分的に取り囲むように設けられており、
ロック部材（７、８、１５、１６、２６、２７、２８、２９、３０、３２、３３）が前記固定プレートまたは前記底プレート上および前記緩衝プレート上に設けられており、
前記ロック部材が前記緩衝プレート上に設けられた１以上のフックであって前記留め具がロック位置にあるときに前記留め具のパーツを連結する１以上のフックを含むことを特徴とする
留め具。
【請求項２】
連結ストラップまたはその均等物用の締結具（５）が前記カバープレートの一側部近傍に設けられ、
前記締結具を介して前記留め具にかかる力の１成分が前記カバープレートの面にかかるように方向付けられており、
前記カバープレートの面が、前記力が前記留め具に対して連結効果を有するように方向付けられていることを特徴とする
前記請求項のいずれか１つに記載の留め具。
【請求項３】
前記留め具のパーツの一方または両方が他の部材の一体化されたパーツを構成することを特徴とする
前記請求項のいずれか１つに記載の留め具。
【請求項４】
前記留め具のパーツが、子供用ハーネスの一体化されたパーツを形成することを特徴とする
前記請求項のいずれか１つに記載の留め具。
【発明の詳細な説明】
【技術分野】
【０００１】
本発明は、少なくとも２つのパーツを連結する、例えばハーネスの鎖と前部部材とを連結する留め具（クリスプ）に関する。
【背景技術】
【０００２】
本発明の留め具は、多くの異なる用途においてベルト、ストラップおよびその他のパーツを解放可能に連結するために用いるタイプのものである。  
第１の例において留め具は、様々なレベルに延長可能なストラップ、ベルトまたはこれらの均等物、例えば子供用のハーネスおよび様々な種類のバックパックなどに用いる。
【発明の開示】
【発明が解決しようとする課題】
【０００３】
本発明の目的は、一方の手で安定的に取り付けたり緩めたりできる改善された留め具を示すことである。  
本発明のさらなる目的は、安定的に取り付けられたベルトまたはその均等物からの力によってロック機構が全く或いはほとんど影響を受けない留め具を示すことである。
【課題を解決するための手段】
【０００４】
本発明による留め具のさらなる利点は、パーツが安定的に取り付けられるとそのパーツが他の力の影響を受けないようになるという特性を示し明らかにロックされたことを示すことである。  
ロック状態も安定しており、留め具は意図的な介入がない限り開けることができないようになっている。  
安定した構成の留め状態を引き起こす力がロック方向に働くと、締結具を介して留め具にかかる力が、留め具に対して一体化効果を及ぼす成分を有するように安定化が行われる。
【０００５】
本発明による留め具の有利な特性は、別体ではあるが結合固定された２つのパーツのロック機能とは別に、ロック位置にパーツを集めて制御することによっても達成される。  
さらに上記ロック機能はスリーブを形成するパーツに設けられる。
【０００６】
本発明による留め具は、多くの異なる目的に用いることができる。  
例えば、ハーネスおよびリュックサックなどのベルトに用いてもよいし、乗り物、おもちゃ、ベビーカーのベルトまたはストラップを安定に取り付けるために用いてもよいし、スポーツおよびレジャー用の衣服及び装置に用いてもよい。  
その場合、留め具のパーツの一方または両方が、それが用いられる部材の一体化されたパーツを構成してもよい。
【０００７】
本発明による構成およびその実施形態は、本明細書に示す特徴ある特性を有する。
【０００８】
以下に本発明を、添付の図面に示す好ましい実施形態に基づいてより詳細に説明する。  
図面に関連して記載する方向は図面に示す部材に関する。
【発明を実施するための最良の形態】
【０００９】
留め具は２つの主要パーツ、すなわち第１の又は下パーツ１（以下、「アンカー」と呼ぶ）と第２の又は上パーツ２（以下、「サイドクラスプ」と呼ぶ）とを含む。  
アンカーは、底プレート２３と固定プレート２１とを含む。  
２つのプレートは互いに平行またはほぼ平行であり、下連結壁２２によって連結されている。  
固定プレートの上面には、２つのスライドレール１９および２０がある。  
底プレート２３も２つの歯状フック７および８を有しており、歯状フック７および８は連結用開口部２６および２７を備えている。  
アンカーの底プレート２３はさらに、アンカーをベルトまたはその均等物に固定する手段を有している。  
図示する実施形態では、この手段は２つの固定穴３および４を含む。  
底プレートは、図示する実施形態では穴および連続したディスクを含むが、他の実施形態では例えば対応する機能を有する格子状パーツを含んでもよい。
【００１０】
サイドクラスプ２は、カバープレート２４を有し、カバープレート２４は周囲の一部分に下方に延びる縁部を有し、縁部は側部１７および１８と前方エッジ２５とを有する。  
縁部の側部と前方エッジとの間の連結部は直線状ではなく穏やかに丸みを帯びている。  
上面の後方エッジには斜め上方に延びる格子状の締結具５があり、これにより連結ベルト、ストラップまたはこれらの類似物をサイドクラスプにしっかりと取り付けることができる。  
取付は、締結具を介して留め具（クラスプ）にかかる力の１成分がカバープレートの面にかかるような方向に行われ、上記カバープレートの面は上記力が留め具に連結効果を及ぼすように方向付けられている。  
さらに締結具５近傍には、締結具５に締結された部材を支持する支持エッジ６がある。  
締結具５は、締結具を介して留め具にかかる力が、留め具に対して連結効果を及ぼす成分を有するように設けられている。
【００１１】
緩衝プレート１１は縁部の前方エッジ２５にはめ込まれている。  
緩衝プレートは留め具の使用を容易にする制限圧力領域１２を有している。  
プレートの側部には開口部１５および１６があり、これらはピン９および１０によって規定されている。  
ピン９および１０は、アンカーのフック７および８並びに開口部２６および２７と協働して、留め具がロック位置にあるときにサイドクラスプを固定するように設けられている。  
サイドクラスプはさらに底面に、緩衝プレートと関連する２つの傾斜エッジを有している。  
傾斜エッジは、留め具がロック位置にあるときにアンカーとサイドクラスプとの連結を容易にするために設けられている。
【００１２】
留め具をロックすべき場合であって、パーツが初期位置にあって互いに完全に分離されているとき、サイドクラスプがアンカー上を移動してアンカーの固定プレートが縁部の側部エッジ１７および１８間に導かれ、縁部の前方エッジに向けてサイドクラスプのカバープレート２４と緩衝プレート１１との間を移動する。  
それによりフック７および８が緩衝プレートのピン９および１０に作用し、緩衝プレートがサイドクラスプのカバープレートに向けて上方に押し上げられ、その結果フックが開口部１５および１６と係合し留め具をロックする位置に達する。
【００１３】
図７Ａおよび図７Ｂに留め具（クラスプ）の別の実施形態を示す。  
図７Ａおよび図７Ｂはそれぞれ、上記記載に対応する留め具の上パートと下パートとを示す。  
留め具が連結位置にある場合、フック２８および２９はリップ３０と係合している。  
リップ３０は、当該クラスプパートの面であってリップとは反対側の面に設けられた圧力プレート３１から下方に延びたアームと適合している。
【００１４】
好ましい実施形態を図８、図９および図１０に示す。  
ここではクラスプパート２のリブ３２とフック３３Ａおよび３３Ｂとがロックされる。  
フック３３Ａおよび３３Ｂはリブと協働し、図からわかるように緩衝プレート１１に固定される。  
第１の実施形態では、外側のフック３３Ａは、内側のフック３３Ｂが何らかの理由で誤ってリブとの係合から解放された場合に安全キャッチとして機能する。  
さらなる実施形態では、リブを延長してフック３３Ａおよび３３Ｂ用の１以上の穴を有するプレートとしてもよい。
【００１５】
本発明の概念の範囲内で上記とは異なる実施形態が可能である。  
このような実施形態の１つによると、縁部の側部および前方エッジまたはこれらの均等物が互いに直角に延びておらず、２つの平行な側部が前方エッジと９０度ではない角度を成すこともあり得る。  
留め具の他のパーツはこれに合わせて調整され、留め具がロックされると、サイドクラスプがアンカーの底プレート２３に対して直角を成さない方向にアンカー上を移動するようになっている。  
ある種の用途では、この実施形態は留め具の使用を大幅に容易にする。  
この場合も上記の力成分は、留め具がロックされる場合に留め具の２つのパーツが互いに移動する方向と基本的に一致する方向に留め具を連結させる効果を有する。  
留め具のメカニズムの様々な成分を、異なる用途および材料に適するように形成することは当然可能である。
【図面の簡単な説明】
【００１６】
【図１】図１は、本発明による留め具の斜視図である。
【図２】図２は、本発明による留め具の別の斜視図である。
【図３】図３は、留め具の側面図である。
【図４】図４は、留め具の他方のパーツの斜視図である。
【図５】図５は、留め具の第１のパーツの斜視図である。
【図６】図６は、留め具の第１のパーツの別の斜視図である。
【図７Ａ】図７Ａは、留め具の別の実施形態を示す図である。
【図７Ｂ】図７Ｂは、留め具の別の実施形態を示す図である。
【図８】図８は、留め具の別の実施形態を示す図である。
【図９】図９は、図８に示す留め具のパーツを示す図である。
【図１０】図１０は、図８に示す留め具のパーツを示す図である。
【符号の説明】
【００１７】
１    留め具の下パーツ（アンカー）
２    留め具の上パーツ（サイドクラスプ）
３    固定穴
４    固定穴
５    固定格子
６    支持エッジ
７    フック歯
８    フック歯
９    ピン
１０    ピン
１１    緩衝プレート
１２    圧力領域
１３    ストップエッジ
１４    ストップエッジ
１５    開口部
１６    開口部
１７    縁部、側部エッジ
１８    縁部、側部エッジ
１９    スライドレール
２０    スライドレール
２１    固定プレート
２２    連結壁
２３    底プレート
２４    カバープレート
２５    縁部、前方エッジ
２６    開口部
２７    開口部
２８    フック
２９    フック
３０    リップ
３１    圧力プレート
３２    リブ
３３Ａ、３３Ｂ    フック
【図１】
2009529950.tif 000003
【図２】
2009529950.tif 000004
【図３】
2009529950.tif 000005
【図４】
2009529950.tif 000006
【図５】
2009529950.tif 000007
【図６】
2009529950.tif 000008
【図８】
2009529950.tif 000009
【図９】
2009529950.tif 000010
【図１０】
2009529950.tif 000011
【図７Ａ】
2009529950.tif 000012
【図７Ｂ】
2009529950.tif 000013
【国際調査報告】
2009529950.tif 000014
2009529950.tif 000015
2009529950.tif 000016